(57)【要約】【課題】  輝度の高い複数の発光ダイオードを活用して、これら発光ダイオードから断続的に高輝度にて出射される光でもって、鳥を追い払うようにした鳥害防止装置を提供する。【解決手段】  装置本体Ｂのケーシング４０の図示左側部には、赤外線センサ５０ａがレンズ部材５０ｂにより覆蓋されて設けられている。ケーシング４０の図示右側部には、高輝度発光ダイオード５０ｃ及び複数の超高輝度発光ダイオード５０ｄが十字状に配列されて設けられている。赤外線センサ５０ａがレンズ部材５０ｂを通して鳩の輻射赤外線を受光すると、ケーシング４０内に設けた発光制御回路が赤外線センサ５０ａの受光量に基づき高輝度発光ダイオード５０ｃから断続的に高輝度の赤色光を出射させるとともに各超高輝度発光ダイオード５０ｄから断続的に超高輝度の白色光を出射させて鳩に入射させる。【選択図】    図２
2005110519.tif 000002
【特許請求の範囲】
【請求項１】
ケーシングと、
このケーシングの外壁にその外方に向け輝度の高い明色光を互いに並行に出射するように設けられる複数の発光ダイオードと、
前記ケーシングの外壁に設けられて鳥の当該外壁に対する対向位置への移動の際に当該鳥から輻射される赤外線を検出する赤外線センサと、
前記ケーシング内に設けられて前記赤外線センサの検出出力に基づき前記各発光ダイオードを断続的に発光駆動するように制御する発光制御手段とを備えて、
前記各発光ダイオードはその断続的発光駆動に伴い前記輝度の高い明色光を断続的に互いに並行に出射するようにした鳥害防止装置。
【請求項２】
ケーシングと、
このケーシングの外壁にその外方に向け光を互いに並行に出射するように設けられる複数の発光ダイオードと、
前記ケーシングの外壁に設けられて鳩の当該外壁に対する対向位置への移動の際当該鳩から輻射される赤外線を検出する赤外線センサと、
前記ケーシング内に設けられて前記赤外線センサの検出出力に基づき前記複数の発光ダイオードを共に断続的に発光駆動するように制御する発光制御手段とを備えて、
前記複数の発光ダイオードは、
高輝度の赤色光にて発光する高輝度発光ダイオードと、この高輝度発光ダイオードよりも多い数からなり超高輝度の白色光にて発光する超高輝度発光ダイオードとにより構成されて、
前記高輝度発光ダイオード及び各超高輝度発光ダイオードの前記発光制御手段の制御による断続的発光駆動に伴い、前記高輝度発光ダイオードからの前記高輝度の赤色光及び前記各超高輝度発光ダイオードからの前記超高輝度の白色光を前記光として断続的に出射するようにした鳥害防止装置。
【請求項３】
前記複数の発光ダイオードのうちの一つが前記高輝度発光ダイオードであり、残りの発光ダイオードがそれぞれ前記超高輝度発光ダイオードであり、
これら各超高輝度発光ダイオードは、前記ケーシングの外壁に前記高輝度発光ダイオードを中心とする十字状の配列構成にて設けられていることを特徴とする請求項２に記載の鳥害防止装置。
【請求項４】
前記赤外線センサの検出出力は、当該赤外線センサによる前記赤外線の検出受光量を表しており、
前記発光制御手段は、前記赤外線センサの検出出力で表される前記検出受光量が基準受光量以上のとき比較信号を発生する比較回路と、パルス信号を順次発生するパルス信号発生回路と、前記比較回路からの前記比較信号の発生中に前記パルス信号発生回路から順次発生するパルス信号に基づき前記複数の発光ダイオードを断続的に発光駆動する駆動回路とを備えることを特徴とする請求項１〜３のいずれか一つに記載の鳥害防止装置。
【発明の詳細な説明】
【技術分野】
【０００１】
本発明は、鳥害防止装置に関するものである。
【背景技術】
【０００２】
従来、この種の鳥害防止装置においては、下記特許文献に開示されたものがある。この鳥害防止装置においては、光ファイバーが、ベランダの上面に沿い連続的に長く取り付けられており、この光ファイバーは、発光器から断続的な出射光を入射されて断続的に発光する。これに伴い、当該光ファイバーは、その表面の全体或いは部分にて断続的に発光する。
【特許文献１】特開２００２−１１９１９０号公報
【発明の開示】
【発明が解決しようとする課題】
【０００３】
ところで、上記構成の鳥害防止装置では、光ファイバーが、上述のように、その表面の全体或いは部分にて発光しても、当該光ファイバーの表面の全体或いは部分が、光ファイバー自体の断続的発光に伴い、輝度変化するにすぎない。従って、鳥は、光ファイバーの表面の全体或いは部分自体の断続的輝度変化を、当該光ファイバーから離れて見ることとなる。
【０００４】
しかし、このような光ファイバーの表面の全体或いは部分の断続的輝度変化に依っては、鳥を追い払うに十分な高さの輝度の変化を得ることができず、鳥を確実には追い払えないという不具合を招く。
【０００５】
そこで、本発明は、以上のようなことに対処するため、輝度の高い複数の発光ダイオードを活用して、これら発光ダイオードから断続的に高輝度にて出射される光でもって、鳥を追い払うようにした鳥害防止装置を提供することを目的とする。
【課題を解決するための手段】
【０００６】
上記課題の解決にあたり、本発明に係る鳥害防止装置は、請求項１の記載によれば、
ケーシング（４０）と、
このケーシングの外壁（４１）にその外方に向け輝度の高い明色光を互いに並行に出射するように設けられる複数の発光ダイオード（５０ｃ、５０ｄ）と、
ケーシングの外壁に設けられて鳥の当該外壁に対する対向位置への移動の際当該鳥から輻射される赤外線を検出する赤外線センサ（５０ａ）と、
ケーシング内に設けられて赤外線センサの検出出力に基づき各発光ダイオードを断続的に発光駆動するように制御する発光制御手段（５０ｅ〜５０ｈ）とを備えて、
各発光ダイオードはその断続的発光駆動に伴い前記輝度の高い明色光を断続的に出射する。
【０００７】
これにより、複数の発光ダイオード及び赤外線センサが鳥の移動空間を臨むようにケーシングを配設すれば、鳥がケーシングの上記外壁に対する対向位置へ移動した際に赤外線センサが鳥から輻射される赤外線を検出すると、発光制御手段が各発光ダイオードを断続的に発光駆動するように制御する。
【０００８】
このため、当該各発光ダイオードが、輝度の高い明色光を互いに並行に断続的に出射してビーム状に鳥に入射させる。その結果、鳥は、輝度の高い明色光を視認することで驚いて飛び去り、鳥害を確実に防止し得る。
【０００９】
また、本発明に係る鳥害防止装置は、請求項２の記載によれば、
ケーシング（４０）と、
このケーシングの外壁（４１）にその外方に向け光を互いに並行に出射するように設けられる複数の発光ダイオード（５０ｃ、５０ｄ）と、
ケーシングの外壁に設けられて鳩の上記外壁に対する対向位置への移動の際当該鳩から輻射される赤外線を検出する赤外線センサ（５０ａ）と、
ケーシング内に設けられて赤外線センサの検出出力に基づき複数の発光ダイオードを共に断続的に発光駆動するように制御する発光制御手段（５０ｅ〜５０ｈ）とを備えて、
前記複数の発光ダイオードは、
高輝度の赤色光にて発光する高輝度発光ダイオード（５０ｃ）と、当該高輝度発光ダイオードよりも多い数からなり超高輝度の白色光にて発光する超高輝度発光ダイオード（５０ｄ）とにより構成されて、
高輝度発光ダイオード及び各超高輝度発光ダイオードの発光制御手段の制御による断続的発光駆動に伴い、高輝度発光ダイオードからの高輝度の赤色光及び各超高輝度発光ダイオードからの超高輝度の白色光を上記光として断続的に出射する。
【００１０】
これにより、複数の発光ダイオード及び赤外線センサが鳩の移動空間を臨むようにケーシングを配設すれば、鳩がケーシングの上記外壁に対する対向位置へ移動した際に赤外線センサが鳩から輻射される赤外線を検出すると、発光制御手段が複数の発光ダイオードを断続的に発光駆動するように制御する。
【００１１】
このため、当該複数の発光ダイオードのうち高輝度発光ダイオードはその断続的発光駆動に伴い高輝度の赤色光を断続的に出射するとともに、各超高輝度発光ダイオードはその断続的発光駆動に伴い超高輝度の白色光を断続的に出射する。
【００１２】
そして、このように断続的に出射する赤色光及び白色光は、互いに並行にビーム状になって鳩に入射する。このような高輝度の赤色光及び超高輝度の白色光は鳩を追い払い易いことから、鳩は、当該赤色光及び白色光を断続的に視認することで驚いて飛び去る。その結果、鳥害を確実に防止し得る。
【００１３】
また、本発明は、請求項３の記載によれば、請求項２に記載の鳥害防止装置において、
複数の発光ダイオードのうちの一つが高輝度発光ダイオードであり、残りの発光ダイオードがそれぞれ超高輝度発光ダイオードであり、
これら各超高輝度発光ダイオードは、ケーシングの外壁に高輝度発光ダイオードを中心とする十字状の配列構成にて設けられていることを特徴とする。
【００１４】
このような構成とすることで、請求項２に記載の発明の作用効果をより一層向上できる。
【００１５】
また、本発明は、請求項４の記載によれば、請求項１〜３のいずれか一つに記載の鳥害防止装置において、
赤外線センサの検出出力は、当該赤外線センサによる上記赤外線の検出受光量を表しており、
発光制御手段は、赤外線センサの検出出力で表される上記検出受光量が基準受光量以上のとき比較信号を発生する比較回路（５０ｅ）と、パルス信号を順次発生するパルス信号発生回路（５０ｇ）と、比較回路からの比較信号の発生中にパルス信号発生回路から順次発生するパルス信号に基づき複数の発光ダイオードを断続的に発光駆動する駆動回路（５０ｈ）とを備えることを特徴とする。
【００１６】
このような回路構成とすることで、請求項１〜３のいずれか一つに記載の発明の作用効果をより一層具体的に達成し得る。
【００１７】
ここで、請求項４の記載において、パルス信号発生回路は、時定数を可変に設定する時定数回路（５７）と、時定数回路の設定時定数に基づくデューティ比にて上記パルス信号を順次発生するタイマー本体（５６）とを備えるようにしてもよい。
【００１８】
これによれば、上記パルス信号の発生時間に対応する高輝度発光ダイオード及び超高輝度発光ダイオードの各発光時間、即ち上記デューティ比が、鳩等の鳥に十分な眩しさを与え得るように設定されていれば、高輝度発光ダイオード及び超高輝度発光ダイオードの断続的発光でもって、鳥を追い払うに適した光量を確保できる。その結果、請求項４に記載の発明の作用効果をより一層向上し得る。
【００１９】
また、請求項１或いは２の記載において、赤外線センサに代えて、この赤外線センサ及びフレネルレンズ（５２）等の集光レンズからなる赤外線検出素子を採用してもよい。これによれば、集光レンズにより集光される赤外線を赤外線センサで受光することで、当該赤外線センサの赤外線受光率を向上させることができ、請求項１或いは２に記載の発明の作用効果をより一層向上し得る。
【００２０】
なお、上記各手段の括弧内の符号は、後述する実施形態に記載の具体的手段との対応関係を示すものである。
【発明を実施するための最良の形態】
【００２１】
以下、本発明の一実施形態を図面により説明する。図１は、本発明に係る鳥害防止装置の一例を示しており、この鳥害防止装置は、建物のベランダ１０に図１にて示すごとく支持されている。
【００２２】
当該鳥害防止装置は、図１及び図２にて示すごとく、筐体状支持部材Ａと、装置本体Ｂとを備えている。支持部材Ａは、コ字板状の支持台２０と、直方体形状の支持箱３０とにより構成されており、支持箱３０は、その底壁３１にて、支持台２０の上壁２１上に固着されて、当該支持台２０上に立設している。
【００２３】
このように構成した支持部材Ａは、本実施形態では、次のようにして、ベランダ１０に支持されている。即ち、支持台２０は、その上壁２１にて、ベランダ１０の支柱１１の上端部上にゴム板Ｐ（図１参照）の中間部位を介し載置されており、当該支持台２０の両側壁２２は、ゴム板Ｐの両側部位を介し支柱１１の上端部に対向している。
【００２４】
しかして、支持部材Ａは、支持台２０の両側壁２２に対する両蝶ねじＳ（図１では、一方の蝶ねじＳのみを示す）の螺合により、支柱１１の上端部上に支持されている。ここで、両蝶ねじＳは、図１にて例示するごとく、支持台２０の両側壁２２の雌ねじ穴部２２ａ（図３参照）に外方から螺合されて、その各先端部にて、支柱１１の上端部にこれを挟持するように係合して、支持台２０を支柱１１の上端部に固定している。なお、支持台２０は、例えば、金属材料で形成されている。また、両蝶ねじＳの一方を廃止して、他方の蝶ねじＳの両側壁２２の一方の雌ねじ穴部２２ａへの螺合でもって、支持台２０を支柱１１の上端部に固定するようにしてもよい。
【００２５】
装置本体Ｂは、直方体形状のケーシング４０と、発光制御回路５０（図４参照）とを備えている。ケーシング４０は、図２にて示すごとく、支持箱３０内上部に嵌装収容されており、このケーシング４０は、その前壁４１にて、ベランダ１０の手すり１２の長手方向に向け、支持箱３０の前側開口部３２から露呈している。また、このケーシング４０は、その左右両壁４２にて、支持箱３０の左右両壁３３の各上部間にねじ（図示しない）の締着等により支持されており、当該ケーシング４０の上壁及び後壁は、支持箱３０の上壁３４及び後壁３５にそれぞれ当接している。
【００２６】
発光制御回路５０は、図２にて示すごとく、赤外線センサ５０ａ及びレンズ部材５０ｂを備えており、赤外線センサ５０ａは、レンズ部材５０ｂと共に、ケーシング４０の前壁４１の図示右側部に設けられている。レンズ部材５０ｂは、図２及び図３にて示すごとく、赤外線センサ５０ａを覆蓋してなるもので、このレンズ部材５０ｂは、円筒部５１と、この円筒部５１に同軸的に形成した球面状フレネルレンズ部５２とにより構成されている。
【００２７】
しかして、このレンズ部材５０ｂは、円筒部５１にて、図２及び図３から分かるように、ケーシング４０の前壁４１の図示右側部に取り付けられている。これに伴い、フレネルレンズ部５２は、この円筒部５１から同軸的に外方へ球面状に凸となるように延出されている。これにより、フレネルレンズ部５２は、外方から入射する赤外線を集光して赤外線センサ５０ａに向け出射する。
【００２８】
赤外線センサ５０ａは、レンズ部材５０ｂと同軸的にケーシング４０の前壁４１の上記図示右側部に装着されており、この赤外線センサ５０ａは、その受光部５３にて、フレネルレンズ部５０ｂにより集光される赤外線を受光することで検出し、この赤外線の受光量を表す検出信号として発生する。ここで、上述のようにフレネルレンズ部５０ｂが上記赤外線を集光するので、赤外線センサ５０ａは、上記赤外線を効率よく受光し得る。なお、赤外線センサ５０ａ及びレンズ部材５０ｂの各光軸は一致し、ベランダ１０のてすり１２の長手方向に沿っている。また、赤外線センサ５０ａは、レンズ部材５０ｂと共に赤外線検出素子を構成する。
【００２９】
当該発光制御回路５０は、図２にて示すごとく、高輝度発光ダイオード５０ｃ及び超高輝度発光ダイオード５０ｄからなる複数（１１個）の発光ダイオードを備えている。ここで、高輝度発光ダイオード５０ｃは、上記複数の発光ダイオードのうちの一つを構成し、超高輝度発光ダイオード５０ｄは、上記複数の発光ダイオードのうちの残りの各々を構成している。
【００３０】
また、各超高輝度発光ダイオード５０ｄ及び高輝度発光ダイオード５０ｃは、共に、その発光部にて前壁４１からその前方に向くように、図２にてケーシング４０の前壁４１の図示左側部（赤外線センサ５０ａの近傍に相当）に装着されており、各超高輝度発光ダイオード５０ｄは、高輝度発光ダイオード５０ｃを中心とする十字状の配列構成にて前壁４１に配列されている。
【００３１】
本実施形態では、高輝度発光ダイオード５０ｃ及び各超高輝度発光ダイオード５０ｄが上記十字状配列構成でもって前壁４１にて分散して位置する範囲は、例えば、鳩Ｄ（図１参照）の大きさに対応するように設定されている。なお、高輝度発光ダイオード５０ｃ及び各超高輝度発光ダイオード５０ｄの光軸は、ケーシング４０の前壁４１の外面に直交している。
【００３２】
また、高輝度発光ダイオード５０ｃは、その発光駆動により、ケーシング４０の前壁４１の前方へ高輝度の赤色光を出射する。一方、各超高輝度発光ダイオード５０ｄは、その発光駆動により、ケーシング４０の前壁４１の前方へ超高輝度（上記高輝度よりも非常に高い輝度）の白色光を出射する。なお、高輝度発光ダイオード５０ｃの赤色光の出射方向及び各超高輝度発光ダイオード５０ｄの白色光の出射方向は、ベランダ１０の手すり１２に沿う方向である（図１参照）。
【００３３】
本実施形態では、高輝度発光ダイオード５０ｃとしては、ロダン株式会社製ＲＴ３−２３４ＳＲＴ２型高輝度発光ダイオードが採用されており、超高輝度発光ダイオード５０ｄとしては、日亜化学株式会社製ＮＳＰＷ３１２ＢＳ型超高輝度発光ダイオードが採用されている。
【００３４】
当該発光制御回路５０は、図４にて示すごとく、比較回路５０ｅを備えており、この比較回路５０ｅは、比較器５５ａと、基準電圧発生器５５ｂとにより構成されている。比較器５５ａは、赤外線センサ５０ａからの検出信号のレベル（赤外線センサ５０ａの赤外線の受光量に対応）を基準電圧発生器５０ｂからの基準電圧（赤外線の基準受光量に対応）と比較する。そして、赤外線センサ５０ａからの検出信号のレベルが基準電圧発生器５０ｂからの基準電圧よりも高いとき、比較器５５ａは、ハイレベルにて比較信号を発生する。一方、赤外線センサ５０ａからの検出信号のレベルが基準電圧発生器５０ｂからの基準電圧よりも低いとき、比較器５５ａは、上記比較信号をローレベルにて発生する。
【００３５】
基準電圧発生器５５ｂは、上記基準電圧を発生するが、この基準電圧は、例えば、鳩により輻射される赤外線の所定輻射量に対応する。本実施形態では、鳩が本発明装置に接近して赤外線センサ５０ｂの受光部５３と当該鳩との間の距離が当該鳩を追い払う必要のある所定接近距離になったときにおける赤外線センサ５０ａの鳩からの赤外線受光量が、上記所定輻射量に対応する。
【００３６】
また、当該発光制御回路５０は、定電圧回路５０ｆと、タイマー５０ｇと、駆動回路５０ｈとを備えている。定電圧回路５０ｆは、商用電源ＰＳから操作スイッチＳＷを介し１００（Ｖ）の交流電圧を印加されて、当該交流電圧を定電圧（例えば、６（Ｖ））に変換する。タイマー５０ｇは、タイマー本体５６と、時定数回路５７とを備えており、タイマー本体５６としては、米国のテキサスインストルメント株式会社製ＮＥ５５５型集積回路が採用されている。
【００３７】
時定数回路５７は、コンデンサ５７ａを備えており、このコンデンサ５７ａは、その一端にて接地され、その他端にて、各抵抗５７ｂ、５７ｃを通し定電圧回路５０ｆの出力端子に接続されている。本実施形態では、時定数回路５７の充電時定数は、コンデンサ５７ａの静電容量及び両抵抗５７ｂ、５７ｃの各抵抗値でもって特定され、当該時定数回路５７の放電時定数は、コンデンサ５７ａの静電容量及び抵抗５７ｃの抵抗値でもって特定され、上記充電時定数に比べ短い。なお、上記充電時定数の上記放電時定数の比（後述するパルス信号のデューティ比に対応）は、両抵抗５７ｂ、５７ｃの少なくとも一方の抵抗値の変更により調整可能である。
【００３８】
ここで、タイマー本体５６は、その電源端子ＶＣＣにて、定電圧回路５０ｆの出力端子に接続されている。また、当該タイマー本体５６は、そのトリガー端子ＴＧ及び充電完了端子Ｔｈにて、コンデンサ５７ａを介し接地されており、当該タイマー本体５６の放電端子ＤＩＳは、抵抗５７ｃ及びコンデンサ５７ａを介し接地されている。
【００３９】
しかして、コンデンサ５７ａの端子電圧がタイマー本体５６の電源端子への印加電圧（定電圧回路５０ｆの定電圧）の３分の１の電圧よりも低下すると、タイマー本体５６は、計時作動を開始する。これに伴い、コンデンサ５７ａは、両抵抗５７ｂ、５７ｃを通し定電圧回路５０ｆにより充電される。また、コンデンサ５７ａの充電電圧が充電完了端子Ｔｈの電圧（定電圧の３分の２の電圧）を超えて上昇すると、タイマー本体５６はその計時作動を停止する。この停止状態では、コンデンサ５７ａは、抵抗５７ｃ及びタイマー本体５６の放電端子ＤＩＳを通して放電する。
【００４０】
このようにして、タイマー５０ｇは、タイマー本体５６にて、計時作動及びその停止を繰り返し、タイマー本体５６の出力端子ＯＵＴからパルス信号を順次発生するフリーランニングタイマーとして機能する。なお、当該パルス信号の周期は、タイマー本体５６の周期調整端子に印加する電圧でもって時定数回路５７の両時定数の和を調整することで変更可能である。本実施形態では、上記パルス信号の周期及びデューティ比は、鳩Ｄを追い払うに適するように設定されている。ここで、当該デューティ比は、超高輝度発光ダイオード５０ｄの上記パルス信号毎の発光時間が鳩Ｄに眩しさを十分に与え得るように設定されている。
【００４１】
駆動回路５０ｈは、論理回路５８と、パワートランジスタ５９とを備えている。論理回路５８は、両ＮＡＮＤゲート５８ａ、５８ｂを備えており、ＮＡＮＤゲート５８ａは、タイマー本体５６からのパルス信号及び比較器５５ａからの比較信号の否定論理積をとり、パルス状の否定論理積信号（上記パルス信号と同一の周期を有する）を発生する。また、ＮＡＮＤゲート５８ｂは、ＮＡＮＤゲート５８ａからの否定倫理積信号を受けて否定論理積信号をパルス状駆動信号（上記パルス信号と同一の周期を有する）として発生する。
【００４２】
パワートランジスタ５９は、そのベースにて、ＮＡＮＤゲート５８ｂの出力端子に接続されており、このパワートランジスタ５９のコレクタは、高輝度発光ダイオード５０ｃのカソード及び各超高輝度発光ダイオード５０ｄのカソードに接続されている。しかして、パワートランジスタ５９は、ＮＡＮＤゲート５８ｂからの駆動信号により、スイッチング駆動されて、高輝度発光ダイオード及び各超高輝度発光ダイオードを同時にかつ断続的に発光させる。
【００４３】
ここで、高輝度発光ダイオード５０ｃは、図４にて示すごとく、そのアノードにて、抵抗５４ａ（例えば、１１０Ωの抵抗値を有する）を介し定電圧回路５０ｆの出力端子に接続されている。また、複数の超高輝度発光ダイオード５０ｄのうち両超高輝度発光ダイオード５０ｄ毎に、各両超高輝度発光ダイオード５０ｄは、その各アノードにて、それぞれ、各抵抗５４ｂ（例えば、３３Ωの抵抗値を有する）を介し定電圧回路５０ｆの出力端子に接続されている。
【００４４】
なお、発光制御回路５０のうち操作スイッチＳＷ、赤外線センサ５０ａ、レンズ部材５０ｂ及び高輝度発光ダイオード５０ｃ及び各超高輝度発光ダイオード５０ｄ以外の素子は、ケーシング４０内に収容されている。
【００４５】
以上のように構成した本実施形態において、当該鳥害防止装置が、図１にて示すごとく、ベランダ１０の支柱１１上に支持されている状態で、操作スイッチＳＷをオンすれば、定電圧回路５０ｆが、商用電源ＰＳから給電されて定電圧を発生する。
【００４６】
すると、タイマー５０ｇが、定電圧回路５０ｆからの定電圧を受けて作動状態におかれる。これに伴い、当該タイマー５０ｇは、計時作動及びその停止を繰り返し、タイマー本体５６の出力端子ＯＵＴからパルス信号（図５参照）を順次発生し論理回路５８に入力する。このとき、比較器５５ａはローレベルにて比較信号を発生する（図５にて時間ｔ＝ｔ１よりも前の時間参照）。
【００４７】
このような状態において、鳩Ｄが、図１にて示すごとく、ベランダ１０の手すり１２に飛来すると、この鳩Ｄにより輻射される赤外線が当該鳥害防止装置にも到達する。これに伴い、レンズ部材５０ｂは、そのフレネルレンズ部５２にて、鳩Ｄの輻射赤外線を受光して集光し赤外線センサ５０ａの受光部５３に受光させる。
【００４８】
これに伴い、赤外線センサ５０ａは、上記赤外線の受光量を表す検出信号を発生し、比較回路５０ｅの比較器５５ａに入射する。しかして、赤外線センサ５０ａの検出信号のレベルが基準電圧発生器５５ｂからの基準電圧よりも高いことから、比較器５５ａは、ハイレベルにて比較信号（図５にて時間ｔ１参照）を発生し、論理回路５８に入射する。
【００４９】
すると、この論理回路５８においては、ＮＡＮＤゲート５８ａが、タイマー本体５６から順次出力されるパルス信号と比較器５５ａからのハイレベルの比較信号との否定論理積をとり、図５に示すごとくパルス状の否定論理積信号を順次発生し、ＮＡＮＤゲート５８ｂに入力する。これに伴い、当該ＮＡＮＤゲート５８ｂは、ＮＡＮＤゲート５８ａからの否定論理積信号を受けて、図５にて示すごとくパルス状の駆動信号を発生し、パワートランジスタ５９に入力する。
【００５０】
このため、当該パワートランジスタ５９は、ＮＡＮＤゲート５８ｂからの駆動信号に基づきスイッチング作動して、高輝度発光ダイオード５０ｃのカソード及び各超高輝度発光ダイオード５０ｄのカソードを断続的に接地する。これに伴い、高輝度発光ダイオード５０ｃは、そのカソードの断続的接地に基づき、抵抗５４ａを介する定電圧回路５０ｆからの定電圧のもと、断続的に発光し高輝度の赤色光を手すり１２の長手方向に沿い出射する。また、各超高輝度発光ダイオード５０ｄは、そのカソードの断続的接地に基づき、対応の抵抗５４ｂを介する定電圧回路５０ｆからの定電圧のもと、共に断続的に発光し超高輝度の白色光を手すり１２の長手方向に沿い出射する。
【００５１】
すると、各超高輝度発光ダイオード５０ｄの白色光は、高輝度発光ダイオード５０ｃの赤色光を中心とし、この赤色光と共に、上記十字状配列構成に基づく十字状の出射態様にて、鳩Ｄに入射し、この鳩Ｄにより視認される。
【００５２】
ここで、上述したごとく、高輝度発光ダイオード５０ｃ及び各超高輝度発光ダイオード５０ｄが上記十字状配列構成でもって前壁４１にて分散して位置する範囲は、鳩Ｄ（図１参照）の大きさに対応するように設定されている。このため、各超高輝度発光ダイオード５０ｄの白色光及び高輝度発光ダイオード５０ｃの赤色光のすべてが、互いに並行にベランダ１０の手すり１２に沿い進行して鳩Ｄに入射する。
【００５３】
しかも、各超高輝度発光ダイオード５０ｄの白色光は非常に輝度が高く断続的な光であり、高輝度発光ダイオード５０ｃの赤色光は、上記白色光程高くはないが、上記十字状出射態様の中心にある。このため、各超高輝度発光ダイオード５０ｄの断続的白色光は、高輝度発光ダイオード５０ｃの断続的赤色光を中心とするビーム状の断続的複合光として鳩Ｄに入射する。このような断続的複合光は、鳩Ｄを追い払い易い光であると共に鳩Ｄの学習でもってしても慣れにくい光であると、確認済みである。これは、上記断続的複合光のうち、特に断続的白色光が超高輝度であって鳩にとり非常に眩しく慣れにくい光であることに起因するものと考えられる。
【００５４】
また、上記パルス信号の周期及びデューティ比は、鳩Ｄを追い払うに適するように設定されているため、上述した各超高輝度発光ダイオード５０ｄからの白色光の発生時間及び高輝度発光ダイオード５０ｃからの赤色光の発生時間は、鳩Ｄを追い払うに適する発生時間となる。
【００５５】
以上のようなことから、鳩Ｄが上記断続的複合光を視認すると、当該鳩Ｄは、驚いて、即座にどこかへ飛び去る。これにより、鳩Ｄをタイミングよくベランダ１０から追い払うことができる。また、上述のように、断続的複合光は、鳩にとって学習しにくい光であるため、同一の鳩であっても確実に追い払うことができる。その結果、鳩による鳥害を常に確実に防止し得る。
【００５６】
また、上述のように鳩Ｄが飛び去ると、赤外線センサ５０ａの検出信号のレベルが低下して比較器５５ａからの比較信号がローレベルに低下する（図５にて時間ｔ２参照）。このため、論理回路５８はその駆動信号の発生を停止し、パワートランジスタ５８がスイッチング作動を停止して、高輝度発光ダイオード５０ｃのアノード及び各超高輝度発光ダイオード５０ｄのアノードを非接地状態にする。従って、高輝度発光ダイオード５０ｃ及び各超高輝度発光ダイオード５０ｄはその出射を停止する。
【００５７】
また、上述のように、装置本体Ｂは、ケーシング４０に複数の発光ダイオード及び赤外線検出素子を設けるのみの構造であるため、支持部材Ａと共に、小型軽量にて構成できる。また、支持部材Ａは蝶ねじＳを用いて支持すればよいので、誰でも容易に適所に支持可能である。しかも、本発明装置で使用する定電圧は、例えば、６（Ｖ）と低いので、感電等の心配もない。
【００５８】
なお、本発明の実施にあたり、上記実施形態に限らず、次のような種々の変形例が挙げられる。
（１）装置本体Ｂを、そのケーシングにて、ベランダ１０の支柱１１上に適宜な手段により、鳥害防止装置として、直接支持するようにして、支持部材Ａを廃止してもよい。また、支持部材Ａにおいて、支持箱３０を、支持台２０に代えて、ベランダ１０の支柱１１の上端部に支持するようにして、支持台２０を廃止してもよい。
（２）赤外線センサ５０ａに比較回路５０ｅを含めて赤外線センサとしてもよい。
（３）高輝度発光ダイオード５０ｃに代えて、赤色光を出射する超高輝度発光ダイオードを採用してもよい。
（４）また、超高輝度発光ダイオード５０ｄや高輝度発光ダイオード５０ｃの数は必要に応じて適宜増減してもよい。また、高輝度発光ダイオード５０ｃの発光色は、赤色に限ることなく、例えば、橙色や深紅色等であってもよく、超高輝度発光ダイオード５０ｄの発光色は、白色に限ることなく、明色であればよい。
（５）論理回路５８は、上記実施形態にて述べた構成に限ることなく、パルス状駆動信号を発生する回路であればどのような回路であってもよい。
（６）ケーシングは直方体状に限ることなく、球状等のどのような形状であってもよい。
（７）高輝度発光ダイオード５０ｃ及び各超高輝度発光ダイオード５０ｄは、ケーシングの前壁に限ることなく、ケーシングの上壁や周壁、一般にケーシングの外壁に設けるようにすればよい。この場合、赤外線センサ５０ａの赤外線受光方向が、高輝度発光ダイオード５０ｃ及び各超高輝度発光ダイオード５０ｄの光の出射方向と同一となっていればよい。
（８）本発明装置は、ベランダに限ることなく、マンション、アパート、一般家庭、工場、学校、倉庫、病院、神社仏閣、駅舎、駐車場、高架、ビルジングや公共施設等の鳩の飛来をきらう場所に配設するようにしても、上記実施形態と同様の作用効果を達成できる。なお、商用電源のない場所にあっては、この商用電源及び定電圧回路に代えて、直流電源を採用する。
（９）本発明装置は、鳩に限ることなく、色々な鳥を追い払うにあたり適用してもよい。
（１０）高輝度発光ダイオード５０ｃ及び各超高輝度発光ダイオード５０ｄは、ケーシング４０の前壁４１に外方から装着する例に限ることなく、例えば、高輝度発光ダイオード５０ｃ及び各超高輝度発光ダイオード５０ｄを前壁４１に嵌着するようにしてもよい。
（１１）商用電源ＰＳ及び定電圧回路５０ｆに代えて、直流電源を採用してもよい。
（１２）発光制御回路５０は、赤外線センサ５０ａ、レンズ部材５０ｂ及び上記複数の発光ダイオードを除く概念としてもよい。
（１３）支持部材Ａの支持箱３０の開口部３２は、透明な板により閉塞するようにしてもよい。これにより、装置本体Ｂを防水することができる。
（１４）装置本体Ｂの外面に、上記複数の発光ダイオード、レンズ部材及び赤外線センサを含めて防水処理を施すことで、装置本体Ｂが屋外に晒されても、当該装置本体Ｂを雨等から保護することができる。
【図面の簡単な説明】
【００５９】
【図１】本発明に係る鳥害防止装置の一実施形態が建物のベランダに支持された例を示す斜視図である。
【図２】図１の鳥害防止装置の支持部材に装置本体を支持した状態を示す拡大正面図である。
【図３】図２にて２−２線に沿う断面図である。
【図４】図２の装置本体の電気回路構成図である。
【図５】図４の主要構成素子の出力波形を示すタイミングチャートである。
【符号の説明】
【００６０】
４０…ケーシング、４１…前壁、５０ａ…赤外線センサ、
５０ｃ…高輝度発光ダイオード、５０ｄ…超高輝度発光ダイオード、
５０ｅ…比較回路、５０ｆ…定電圧回路、５０ｇ…タイマー、５０ｈ…駆動回路。
【図１】
2005110519.tif 000003
【図２】
2005110519.tif 000004
【図３】
2005110519.tif 000005
【図４】
2005110519.tif 000006
【図５】
2005110519.tif 000007